(57)【特許請求の範囲】
【請求項１】
貯水容器に導水する導水経路と、三方を開口しそのうち二つの開口で前記導水経路と給水用水道管との間を継ぐ接続パイプと、前記接続パイプを収容するケースと、前記ケースの外側から着脱可能で前記接続パイプの残りの一つ開口を塞ぐ水抜き栓と、前記給水用水道管からの異物の混入を防止するフィルターと、前記貯水容器側からの水の逆流を防止する逆止弁とを備え、前記水抜き栓は前記フィルターと前記逆止弁を軽保持するとともに前記接続パイプに着脱自在に組み込まれ、前記水抜き栓組み込み時に前記逆止弁が前記接続パイプで抜け止め保持されるとともに、前記接続パイプの前記水抜き栓側の開口部を前記ケースの中に配置し、前記水抜き栓を外した時に前記接続パイプ内の残水を前記ケースで受ける給湯装置。
【発明の詳細な説明】
【０００１】
【発明の属する技術分野】
本発明は、フィルターや逆止弁を有する給湯装置に関するものである。
【０００２】
【従来の技術】
従来の給湯装置は、図６に示すような構成のものが知られている。具体構成について説明すると、図において、１は給水用水道管で、この給水用水道管１は本体ユニット２内の電磁弁や比例開閉弁などで構成される給水手段３に接続されている。４は給水手段３の手前に取り付けられた給水用水道管１からの異物の流入を防ぐフィルターで、給水手段３の他端には導水管５が接続され、貯水容器６に水を供給するようになっている。導水管５の途中には貯水容器６側から給水用水道管１側に水が逆流するのを防ぐ逆止弁７が設けられている。貯水容器６の底面には電気ヒータで構成された加熱手段８が設置されており、貯水容器６の水を加熱する。９は電動ポンプで構成された出湯手段で、一端が貯水容器６に、他端が出湯経路１０に接続されている。１１はキッチンユニットである。
【０００３】
【発明が解決しようとする課題】
しかしながら、前記従来の構成では、フィルター４や逆止弁７が本体ユニット２内に設けられているため、フィルター４が目詰まりしたときや逆止弁７を清掃しようとした時に本体ユニット２を分解しなければならず、メンテナンスが非常にやりにくいものとなっていた。
【０００４】
本発明は、上記従来の課題を解決するもので、フィルターや逆止弁を簡単に取り外せメンテナンスを容易に行えるようにした給湯装置を提供することを目的としている。
【０００５】
【課題を解決するための手段】
前記目的を達成するために、本発明の給湯装置は、接続パイプの三方を開口しその一つの開口をケースの外側から着脱可能な水抜き栓で塞ぎ、給水用水道管からの異物の流入を防止するフィルターと、貯水容器側からの水の逆流を防止する逆止弁とを備え、前記水抜き栓は前記フィルターと前記逆止弁を軽保持するとともに前記接続パイプに着脱自在に組み込まれ、前記水抜き栓組み込み時に前記逆止弁が前記接続パイプで抜け止め保持されるとともに、前記接続パイプの前記水抜き栓側の開口部を前記ケースの中に配置し、前記水抜き栓を外した時に前記接続パイプ内の残水を前記ケースで受けるものである。
【０００６】
これにより、水流によりフィルターと逆止弁が水抜き栓から脱落するのを防ぎ、水抜き栓を取り外すことでフィルターと逆止弁を一緒に取り外せメンテナンスを容易に行うことができる。
【０００７】
また、水抜き栓を外した時に接続パイプ内に残った水をケース内に滴下させ、ケースの外側に濡らさないようにすることができる。
【０００８】
【発明の実施の形態】
請求項１に記載の発明は、貯水容器に導水する導水経路と、三方を開口しそのうち二つの開口で前記導水経路と給水用水道管との間を継ぐ接続パイプと、前記接続パイプを収容するケースと、前記ケースの外側から着脱可能で前記接続パイプの残りの一つ開口を塞ぐ水抜き栓と、前記給水用水道管からの異物の混入を防止するフィルターと、前記貯水容器側からの水の逆流を防止する逆止弁とを備え、前記水抜き栓は前記フィルターと前記逆止弁を軽保持するとともに前記接続パイプに着脱自在に組み込まれ、前記水抜き栓組み込み時に前記逆止弁が前記接続パイプで抜け止め保持されされるとともに、前記接続パイプの前記水抜き栓側の開口部を前記ケースの中に配置し、前記水抜き栓を外した時に前記接続パイプ内の残水を前記ケースで受ける給湯装置とすることにより、水流によりフィルターと逆止弁が水抜き栓から脱落するのを防ぎ、水抜き栓を取り外すことでフィルターと逆止弁を一緒に取り外せメンテナンスを容易に行うことができる。
【０００９】
また、水抜き栓を外した時に接続パイプ内に残った水をケース内に滴下させ、ケースの外側に濡らさないようにすることができる。
【００１０】
【実施例】
以下本発明の実施例について図面を参照して説明する。
【００１１】
（参考例１）
図１〜図３は本発明の参考例１における給湯装置を示すものである。
【００１２】
図において、３１は給水用水道管で、この給水用水道管３１は三方を開口した接続パイプ３２の第１の開口３２ａにつながっている。接続パイプ３２の第２の開口３２ｂは本体ユニット３３内の電磁弁や比例開閉弁などで構成される給水手段３４に接続される。
【００１３】
また、接続パイプ３２の第３の開口３２ｃは着脱自在な水抜き栓３５で塞がれ、水抜き栓３５はユニットの外郭を構成するケース３６に設けた穴３７から取り外すことができるよう突出させてある。３８は給水手段３４の手前に取り付けられた給水用水道管３１からの異物の流入を防ぐフィルターで、給水手段３４とフィルター３８の間には給水手段３４側から給水用水道管３１側に水が逆流するのを防ぐ逆止弁３９が設けられている。そして、フィルター３８と逆止弁３９は水抜き栓３５の開口３５ａから水抜き栓３６内に挿入され軽く圧入保持され収容されている。給水手段３４の他端には導水管４０が接続され、貯水容器４１に水を供給するようになっている。貯水容器４１の底面には電気ヒータで構成された加熱手段４２が設置されており、貯水容器４１内の水を加熱する。４３は電動ポンプで構成された出湯手段で、一端が貯水容器４１に、他端が出湯経路４４に接続されている。４５はキッチンユニットで、貯水容器４１内の水は出湯経路４４経由でシンクに供給できるようになっている。また、水道水も直接シンクに供給することができるものである。
【００１４】
次に、前述した給湯装置のメンテナンスについて説明する。給湯装置を使用しているうちに、給水用水道管３１からの異物が溜まりフィルター３８が目詰まりを起こしたり、逆止弁３９のシール部分があまくなり交換する必要が生じてくる。フィルター３８と逆止弁３９を取り外してメンテナンスする場合には、水抜き栓３５を外せば、フィルター３８と逆止弁３９が水抜き栓３５に保持されているため、一緒に外すことができる。そして、軽く圧入保持されたフィルター３８と逆止弁３９を水抜き栓３５から抜けば、清掃や交換をすることができる。このように本体ユニット３３を分解することなく、容易にメンテナンスを行うことができる。
【００１５】
（参考例２）
本発明の参考例２における給湯装置は、基本的には参考例１と同様なものであり、図２、図３における接続パイプ３２と逆止弁３９との寸法は、水抜き栓３５を接続パイプ３２に組み込んだ状態で逆止弁３９を給水手段３４側に押しつけて抜けてしまわないように設定してある。従って、給水用水道管３１の水流によりフィルター３３と逆止弁３９が押し出されても、水抜き栓３５から脱落せず、水抜き栓３５を外した時にフィルター３３と逆止弁３９を常に一緒に外すことができる。
【００１６】
（実施例１）
図４は本発明の実施例１における給湯装置を示すものである。
【００１７】
図に基づき、参考例１との相違点について説明する。この実施例では接続パイプ３２の水抜き栓３５側開口、すなわち第３の開口３２ｃをケース３６外に突出させることなくケース３６内に納めてある。水抜き栓３５を外した時、接続パイプ３２内には水が残っているが、第３の開口３２ｃをケース３６内に納めてあるため、残った水はケース３６内に滴下し、メンテナンス時にケース３６の外側に水を漏らさないようにすることができる。
【００１８】
（参考例３）
図５は本発明の参考例３における給湯装置を示すものである。
【００１９】
図に基づき、参考例１との相違点について説明する。この参考例では接続パイプ３２の第１の開口３２ａに止水栓４２を取り付け、これをケース３６の外側に露出させたもので、水抜き栓３５を外してメンテナンスしようとした時に水道の元栓を閉めることなく、止水栓４２を操作することで給湯装置だけで水を止めることができメンテナンスが容易である。
【００２０】
【発明の効果】
以上のように本発明の給湯装置によれば、接続パイプの三方を開口しその一つの開口をケースの外側から着脱可能な水抜き栓で塞ぎ、給水用水道管からの異物の流入を防止するフィルターと貯水容器側からの水の逆流を防止する逆止弁を水抜き栓で着脱自在に保持するとともに、水抜き栓を取り外すことによりフィルターと逆止弁を除去可能にしたもので、水抜き栓を取り外すことでフィルターと逆止弁を一緒に取り外せメンテナンスを容易に行うことができる。
【００２１】
また、水抜き栓を外した時に接続パイプ内に残った水をケース内に滴下させ、ケースの外側に濡らさないようにすることができる。
【図面の簡単な説明】
【図１】  本発明の参考例１における給湯装置の概略構成を示す断面図
【図２】  同給湯装置の要部断面図
【図３】  同給湯装置の要部分解断面図
【図４】  本発明の実施例１における給湯装置の要部断面図
【図５】  本発明の参考例３における給湯装置の概略構成を示す断面図
【図６】  従来例における給湯装置の概略構成を示す断面図
【符号の説明】
３１    給水用水道管
３２    接続パイプ
３２ａ  接続パイプの第１の開口
３２ｂ  接続パイプの第２の開口
３２ｃ  接続パイプの第３の開口
３５    水抜き栓
３６    ケース
３８    フィルター
３９    逆止弁
４０    導水経路
４１    貯水容器
４２    止水栓
【図１】
0003928465.tif 000002
【図２】
0003928465.tif 000003
【図３】
0003928465.tif 000004
【図４】
0003928465.tif 000005
【図５】
0003928465.tif 000006
【図６】
0003928465.tif 000007